(57)【要約】      （修正有）【課題】縦穴に対し、ポールを安全に、しかも軽快に建て込む。【解決手段】ポールＰの下端部を受け入れる溝形のガイド材１１と、ウィンチ２１と、ウィンチ２１の牽引索２１ａを掛けるガイドローラ２２とを設ける。ガイド材１１を縦穴Ｇ1 に挿入して立て、ウィンチ２１を介して牽引索２１ａを巻取方向に操作すると、ポールＰを起立させて縦穴Ｇ1 に建柱することができる。【選択図】図１
2005204396.tif 000002
【特許請求の範囲】
【請求項１】
ポールの下端部を受け入れる溝形のガイド材と、該ガイド材に取り付けるウィンチと、前記ガイド材の上端に装着し、前記ウィンチの牽引索を掛けるガイドローラとを備えてなるポールの建込用具。
【請求項２】
前記ガイド材の下半部には、溝形の保護材を収納することを特徴とする請求項１記載のポールの建込用具。
【請求項３】
前記保護材は、スペーサを介して前記ガイド材に収納することを特徴とする請求項２記載のポールの建込用具。
【請求項４】
前記ガイド材は、下端を尖らせることを特徴とする請求項１ないし請求項３のいずれか記載のポールの建込用具。
【請求項５】
前記ガイド材は、長さ方向に分割することを特徴とする請求項１ないし請求項４のいずれか記載のポールの建込用具。
【請求項６】
前記ガイド材には、倒れを防止する補助材を組み合わせることを特徴とする請求項１ないし請求項５のいずれか記載のポールの建込用具。
【発明の詳細な説明】
【技術分野】
【０００１】
この発明は、配電線用の電線、電話線などに使用するポールを地中に容易に建て込むことができるポールの建込用具に関する。
【背景技術】
【０００２】
架空の配電線用の電線、電話線、ケーブル等を支持したり、街灯や看板などを支持したりするために、各種のポールが使用されている。
【０００３】
これらのポールのうち、全長１０ｍ以下、直径１０cm前後の小規模なものは、専ら人力によって地中に建て込むため、作業効率が悪く、重労働を強いられるという問題があった。そこで、ポールの建込具が提案されている（特許文献１）。
【０００４】
このものは、地中の建柱用の縦穴に挿入する断面半円弧状のガイド部材と、ガイド部材の上端部に回転自在に連結する同形の支持部材とから構成されている。そこで、ガイド部材を建柱用の縦穴に挿入して立て、支持部材を地上に上向きに横たえた上、ポールの下端部を支持部材に収納し、ポールの先端を持ち上げるようにしてポールを起立させると、支持部材、ガイド部材に沿ってポールの下端部が縦穴内に自然落下し、ポールを縦穴に建て込むことができる。なお、支持部材は、地表より僅かに下がった位置に回転中心を有し、ポールを起立させるとき、ポールと一体に起立してポールの安定性を確保する。
【特許文献１】特開２００１−１７７９３５号公報
【発明の開示】
【発明が解決しようとする課題】
【０００５】
かかる従来技術によるときは、支持部材、ガイド部材は、ポールを起立させる際に、ポールを安定させることに貢献するが、ポールの起立そのものを補助するものでないから、建柱作業の労力を軽減することが全くできない上、建柱用の縦穴は、支持部材の回転中心を地表より下げるため、地表に溝を設けなければならず、建柱後の地際部の根巻作業が煩雑になりがちであるという問題があった。
【０００６】
そこで、この発明の目的は、かかる従来技術の問題に鑑み、ガイド材と、ウィンチとを組み合わせることによって、正円状の縦穴に対し、ポールを安全に、しかも軽快に建て込むことができるポールの建込用具を提供することにある。
【課題を解決するための手段】
【０００７】
かかる目的を達成するためのこの発明の構成は、ポールの下端部を受け入れる溝形のガイド材と、ガイド材に取り付けるウィンチと、ガイド材の上端に装着し、ウィンチの牽引索を掛けるガイドローラとを備えることをその要旨とする。
【０００８】
なお、ガイド材の下半部には、溝形の保護材を収納することができ、保護材は、スペーサを介してガイド材に収納することができる。
【０００９】
また、ガイド材は、下端を尖らせてもよく、長さ方向に分割してもよい。
【００１０】
さらに、ガイド材には、倒れを防止する補助材を組み合わせることができる。
【発明の効果】
【００１１】
かかる発明の構成によるときは、溝形のガイド材は、下部を建柱用の縦穴に挿入して立て、地表上に横倒しされたポールの下端部を収納するようにセットした上、ウィンチの牽引索を伸ばし、ガイド材の上端のガイドローラを経てポールの中間部に連結する。そこで、牽引索を巻き取る方向にウィンチを操作すると、ポールは、ガイド材を介して下端部が位置決めされているため、下端部を支点として縦穴上に円滑に起立させることができ、約４５〜６０°以上にまで起立すると、下端部がガイド材に沿って縦穴内に滑落し、縦穴内に簡単に建て込むことができる。なお、牽引索の連結位置は、ポールの長さ方向の重心位置よりやや先端側とする。また、縦穴は、正円状に掘削すればよく、ウィンチは、手動式、電動式のいずれであってもよい。
【００１２】
ガイド材の下半部に収納する保護材は、ポールの下端部が縦穴内に滑落するとき、ポールの下端を保護してポールの損傷を防止する。ただし、保護材は、縦穴の深さよりやや長くして地表上に突出させるものとする。なお、スペーサを介して保護材を収納すれば、ガイド材を変更することなく、ポールの径に適合するサイズの保護材を適切に選択することができる。
【００１３】
ガイド材は、下端を尖らせることにより、縦穴の底部に安定に固定することができ、長さ方向に分割することにより、運搬を容易にすることができる。なお、分割されたガイド材は、施工現場において、所定の長さに接続して使用する。
【００１４】
ガイド材に組み合わせる補助材は、縦穴内のガイド材を拘束し、ポールを起立させるとき、ポールの姿勢を一層安定化させることができる。
【発明を実施するための最良の形態】
【００１５】
以下、図面を以って発明の実施の形態を説明する。
【００１６】
ポールの建込用具は、溝形のガイド材１１にウィンチ２１、ガイドローラ２２を装着してなる（図１、図２）。ただし、図２（Ａ）、（Ｂ）は、それぞれ図１の一部破断要部拡大図、図２（Ａ）のＸ−Ｘ線矢視断面図である。
【００１７】
ガイド材１１は、チャンネル材により、ポールＰの下端部を受け入れる溝形に形成されている。ガイド材１１は、ポールＰを建て込むための建柱用の縦穴Ｇ1 に挿入して立てると、地表Ｇ上に１．５〜２ｍ程度突出する長さとする。ただし、縦穴Ｇ1 は、ポールＰの全長約１０ｍ以下のとき、ポールＰの全長の１／６以上の深さの正円状に掘削するものとする。
【００１８】
ガイド材１１の下半部には、溝形の保護材１２が収納されている。保護材１２は、ガイド材１１の開口縁に形成するリブ１１ａ、１１ａを介して外れ止めされている。なお、保護材１２は、縦穴Ｇ1 の深さより僅かに長く、したがって、縦穴Ｇ1 内のガイド材１１の下端に下端を一致させるとき、少なくともポールＰの直径よりも高く地表Ｇ上に突出するものとする。保護材１２は、ガイド材１１に対し、取外し不能に固定してもよく、たとえば長手方向にスライドさせるようにして着脱可能としてもよい。保護材１２は、たとえば硬質塩化ビニル材のように、滑り易い丈夫なプラスチック材によって一体成形することが好ましい。
【００１９】
ウィンチ２１は、手動式または電動式であって、ガイド材１１の地表Ｇ上の突出部分に取り付けられている。ウィンチ２１は、ガイド材１１の後面側に対し、取外し自在に固定されている。
【００２０】
ガイドローラ２２は、ガイド材１１の上端において、ガイド材１１の前後方向に向けて回転自在に装着されている。そこで、ウィンチ２１のワイヤなどの牽引索２１ａは、ガイドローラ２２に掛けることにより、ガイドローラ２２を経てガイド材１１の前方側に引き出すことができる。なお、ガイドローラ２２は、牽引索２１ａが外れないように、鼓形にするのがよく、牽引索２１ａに適合する溝付きのガイドプーリとしてもよい。
【００２１】
ポールＰを縦穴Ｇ1 に建柱するときは、ポールＰを地表上に横倒しにして、下端部を縦穴Ｇ1 内のガイド材１１に収納する（図１の二点鎖線）。つづいて、ウィンチ２１の牽引索２１ａを伸ばしてポールＰの中間部に連結する。なお、このとき、牽引索２１ａの先端のフック２１ｂを利用して（図３）、ポールＰに装着する自在バンドＱの連結ボルトＱ1 に掛けるのが便利である。ただし、図示の自在バンドＱは、たとえば連結ボルトＱ1 、Ｑ1 …を介して３分割の連結辺Ｑ2 、Ｑ2 …を円形に連結し、ポールＰの任意の位置に固定して装着することができる。
【００２２】
つづいて、ウィンチ２１を操作して牽引索２１ａを巻き取ると（図１の矢印Ｋ1 方向）、ポールＰは、下端部がガイド材１１によって位置決めされているため、牽引索２１ａを引くに従って下端部を支点にして上方に起立する（同図の矢印Ｋ2 方向、実線）。そこで、なおも牽引索２１ａを巻き取り、ポールＰを約４５〜６０°以上にまで起立させると、ポールＰは、下端がガイド材１１内の保護材１２に沿って縦穴Ｇ1 内に滑落し、縦穴Ｇ1 内に円滑に直立させることができる。したがって、その後、ガイド材１１を縦穴Ｇ1 から抜去し、ポールＰの地際部の根巻作業をして建柱作業を完了することができる。
【他の実施の形態】
【００２３】
ガイド材１１に収納する保護材１２は、断面半円弧状の溝形としてもよい（図４（Ａ））。また、保護材１２は、２〜３個のスペーサ１３、１３…を介してガイド材１１に収納することができる（同図（Ｂ）、（Ｃ））。さらに、保護材１２は、これを省略してもよい（同図（Ｄ））。なお、図４（Ｂ）〜（Ｄ）において、ガイド材１１は、開口縁のリブ１１ａ、１１ａがないものとして図示されており、したがって、リブ１１ａ、１１ａは、これを省略することができる。
【００２４】
ガイド材１１は、下端を尖らせてもよい（図５）。すなわち、ガイド材１１の下端には、後面側を山形に尖らせて突出部１１ｂを形成してもよく（同図（Ａ））、左右の側面を後面側に尖らせて突出部１１ｃ、１１ｃを形成してもよい（同図（Ｂ））。突出部１１ｂ、１１ｃ、１１ｃは、縦穴Ｇ1 の底面に突き刺すことにより、縦穴Ｇ1 内のガイド材１１を安定に位置決めすることができる。
【００２５】
ガイド材１１には、補助材１４を組み合わせることができる（図６）。補助材１４は、縦穴Ｇ1 を跨ぐようにして地表Ｇに置く接地部１４ａ、１４ａを有し、接地部１４ａ、１４ａの間には、ガイド材１１用のガイドスペース１４ｂが形成されている。接地部１４ａ、１４ａには、それぞれ孔１４ｃ、１４ｃ…が開口されており、したがって、補助材１４は、各接地部１４ａの任意の孔１４ｃ、１４ｃを介して地表Ｇにアンカ１４ｄ、１４ｄを打ち込むことにより、地表Ｇに位置決めして固定することができる。そこで、ガイドスペース１４ｂを介して縦穴Ｇ1 に挿入するガイド材１１は、縦穴Ｇ1 内に安定に拘束して位置決めすることができる。
【００２６】
ガイド材１１は、長さ方向に２分割してもよい（図７）。ただし、図７（Ｂ）は、同図（Ａ）のＹ−Ｙ線相当矢視断面図である。
【００２７】
分割後の下部材１１ｅ、上部材１１ｆは、互いに嵌合可能な大小のチャンネル材であり、それぞれの上端部、下端部の各側面に形成するボルト孔１１ｅ1 、１１ｅ1 、１１ｆ1 、１１ｆ1 にボルトナット１１ｇ、１１ｇを挿通させることにより、分離可能に接続することができる。ただし、ボルトナット１１ｇ、１１ｇによる接続位置は、下部材１１ｅを縦穴Ｇ1 に挿入して立てるとき、地表Ｇより十分高くして、ポールＰを直立させる際にポールＰがボルトナット１１ｇ、１１ｇと過大な干渉を生じないようにすることが好ましい。
【００２８】
分割後の下部材１１ｅ、上部材１１ｆは、同一サイズのチャンネル材として、それぞれの上端、下端に付設するフランジ１１ｅ2 、１１ｆ2 を利用して、ボルトナット１１ｇ、１１ｇ…を介して突合せ接続してもよい（図８）。なお、図８には、１組のボルトナット１１ｇのみが図示されており、各ボルトナット１１ｇのナットは、同図に拘らず、一方のフランジ１１ｆ2 にあらかじめ溶接しておいてもよい。また、図８において、下部材１１ｅ、上部材１１ｆは、上下反対に構成してもよい。なお、図７、図８のガイド材１１は、３分割以上に分割してもよい。
【００２９】
ポールＰに装着する自在バンドＱは、牽引索２１ａを連結できればよく、図３、図９（Ａ）のような３分割形に代えて、２分割形（図９（Ｂ））、４分割形（同図（Ｃ））などであってもよい。
【図面の簡単な説明】
【００３０】
【図１】使用状態説明図
【図２】要部構成説明図
【図３】要部斜視図
【図４】他の実施の形態を示す図２（Ｂ）相当模式説明図
【図５】他の実施の形態を示す要部斜視説明図
【図６】他の実施の形態を示す要部斜視図
【図７】他の実施の形態を示す要部分解斜視説明図
【図８】他の実施の形態を示す要部分解斜視図
【図９】他の実施の形態を示す要部模式説明図
【符号の説明】
【００３１】
Ｐ…ポール
１１…ガイド材
１２…保護材
１３…スペーサ
１４…補助材
２１…ウィンチ
２１ａ…牽引索
２２…ガイドローラ
特許出願人          三 田 村  正  雄
代理人  弁理士        松  田  忠  秋
【図１】
2005204396.tif 000003
【図２】
2005204396.tif 000004
【図３】
2005204396.tif 000005
【図４】
2005204396.tif 000006
【図５】
2005204396.tif 000007
【図６】
2005204396.tif 000008
【図７】
2005204396.tif 000009
【図８】
2005204396.tif 000010
【図９】
2005204396.tif 000011